【手続補正書】
【提出日】平成25年4月22日(2013.4.22)
【手続補正１】
【補正対象書類名】特許請求の範囲
【補正対象項目名】全文
【補正方法】変更
【補正の内容】
【特許請求の範囲】
【請求項１】
ワイヤレス通信レンジ内の１又は複数のオーディオ出力機器とワイヤレスに通信するよう構成され、かつ、近接検出に基づいてワイヤレス通信レンジ内の１又は複数のオーディオ出力機器と機密保護ワイヤレス通信チャンネルを自動的に確立するよう構成されたメディア配信機器であって、
メディア配信機器に近接しかつ１又は複数のオーディオ出力機器のワイヤレス通信レンジ内にある共有エンゲージメントゾーンを認識するよう構成された近接検出モジュールであって、１又は複数のオーディオ出力機器が共有エンゲージメントゾーン内にあるかどうかを検出するよう構成された近接検出モジュールと、
１又は複数のオーディオ出力機器が、共有エンゲージメントゾーン内に所定の時間の間存在し、かつ、ユーザが同期プロセスの継続の同意を送信した後に、１又は複数のオーディオ出力機器とのワイヤレス通信チャンネルを自動的に初期化しつ確立するよう構成された通信モジュールと
を備え、
メディア配信機器は、確立されたワイヤレス通信チャンネルを用いて、共有エンゲージメントゾーンの範囲外に存在しても当該１又は複数のオーディオ出力機器と通信するよう構成されている
ことを特徴とするメディア配信機器。
【請求項２】
請求項１記載のメディア配信機器において、
該装置はさらに、１又は複数のオーディオ出力機器上の１又は複数のボタンに対応する、１又は複数のボタンを備え、
近接検出モジュールが共有エンゲージメントゾーン内に１又は複数のオーディオ出力機器を検出し、ユーザによってメディア配信機器上の１又は複数のボタンが活性化され、かつ、ユーザによってオーディオ出力機器上の１又は複数のボタンが活性化されたときに、通信モジュールは、ワイヤレス通信チャンネルを自動的に初期化しかつ確立するよう構成されている
ことを特徴とするメディア配信機器。
【請求項３】
請求項１記載のメディア配信機器において、近接検出モジュールは、近接信号を発生するよう構成された信号発生要素を備えることを特徴とするメディア配信機器。
【請求項４】
請求項３記載のメディア配信機器において、信号発生要素は、オーディオ出力機器の信号スイッチを開閉させる磁界を発生するよう構成されていることを特徴とするメディア配信機器。
【請求項５】
請求項１記載のメディア配信機器において、近接検出モジュールは、１又は複数のオーディオ出力機器から発生された磁界を検出するよう構成された検出要素を備えることを特徴とするメディア配信機器。
【請求項６】
請求項５記載のメディア配信機器において、検出要素は、１又は複数のオーディオ出力機器から発生された磁界と相互作用して出力電圧に変化が生じるよう設計された電気回路を備えていることを特徴とするメディア配信機器。
【請求項７】
請求項５記載のメディア配信機器において、検出要素は、１又は複数のオーディオ出力機器から放出された磁界と相互作用して開閉するよう構成された信号スイッチを備えていることを特徴とするメディア配信機器。
【請求項８】
請求項１記載のメディア配信機器において、該装置はさらに、知覚可能なアラートを発生することにより、ワイヤレス通信チャンネルが確立されたことを示すアラートモジュールを備えていることを特徴とするメディア配信機器。
【請求項９】
請求項３記載のメディア配信機器において、信号発生要素は、ショートレンジの赤外線信号又は無線信号の近接信号を発生するよう構成されていることを特徴とするメディア配信機器。
【請求項１０】
請求項１記載のメディア配信機器において、近接検出モジュールは、ショートレンジの赤外線信号又は無線信号を検出するよう構成された検出要素を備えていることを特徴とするメディア配信機器。
【請求項１１】
オーディオ出力機器であって、該オーディオ出力機器のワイヤレス通信レンジ内のメディア配信機器とワイヤレスに通信するよう構成され、かつ、近接検出に基づいてワイヤレス通信レンジ内のメディア配信機器と機密保護ワイヤレス通信チャンネルを自動的に確立するよう構成された、オーディオ出力機器において、該オーディオ出力機器は、
オーディオ出力機器に近接しかつオーディオ出力機器のワイヤレス通信レンジ内にある共有エンゲージメントゾーンを検出するよう構成された近接検出モジュールであって、メディア配信機器が共有エンゲージメントゾーン内にあるかどうかを検出するよう構成された近接検出モジュールと、
同期の継続の応答に応答して、メディア配信機器が共有エンゲージメントゾーン内に所定の時間の間存在する場合、メディア配信機器とワイヤレス通信チャンネルを自動的に初期化しかつ確立するよう構成された通信モジュールと
を備え、
オーディオ出力機器は、該確立されたワイヤレス通信チャンネルを用いて、共有エンゲージメントゾーンの範囲外に存在してもメディア配信機器と通信するよう構成されていることを特徴とするオーディオ出力機器。
【請求項１２】
請求項１１記載のオーディオ出力機器において、
該装置はさらに、メディア配信機器上の１又は複数のボタンに対応する１又は複数のボタンを備え、
通信モジュールは、メディア配信機器が共有エンゲージメントゾーン内にあり、かつ、オーディオ出力機器上及びオーディオ出力機器上の１又は複数のボタンが同時に活性化されていることを検出すると、ワイヤレス通信チャンネルを自動的に初期化しかつ確立するよう構成される
ことを特徴とするメディア配信機器。
【請求項１３】
請求項１１記載のオーディオ出力機器において、近接検出モジュールは、近接信号を発生するよう構成された信号発生要素を備えることを特徴とするオーディオ出力機器。
【請求項１４】
請求項１３記載のオーディオ出力機器において、信号発生要素は、ショートレンジに赤外線信号又は無線信号の近接信号を発生する１又は複数の送信機を備えていることを特徴とするオーディオ出力機器。
【請求項１５】
請求項１３記載のオーディオ出力機器において、信号発生要素は、メディア配信機器の信号スイッチを開閉させる磁界を発生する磁気要素を備えていることを特徴とするオーディオ出力機器。
【請求項１６】
請求項１１記載のオーディオ出力機器において、近接検出モジュールは、メディア配信機器から発生されたショートレンジの赤外線信号又は無線信号の１又は複数の近接信号を検出するよう構成された検出要素を備えていることを特徴とするオーディオ出力機器。
【請求項１７】
請求項１１記載のオーディオ出力機器において、近接検出モジュールは、メディア配信機器から発生された磁界を検出するよう構成された検出要素を備えていることを特徴とするメディア配信機器。
【請求項１８】
請求項１７記載のオーディオ出力機器において、検出要素は、メディア配信機器から発生された磁界と相互作用して出力電圧に変化が生じるよう設計された電気回路を備えていることを特徴とするオーディオ出力機器。
【請求項１９】
請求項１７記載のオーディオ出力機器において、検出素子は、メディア配信機器から放出された磁界と相互作用して開閉するよう構成された信号スイッチを備えていることを特徴とするオーディオ出力機器。
【請求項２０】
請求項１１記載のオーディオ出力機器において、該装置はさらに、知覚可能なアラートを発生することにより、ワイヤレス通信チャンネルが確立されたことを示すアラートモジュールを備えることを特徴とするオーディオ出力機器。
【請求項２１】
コンピュータ制御装置であって、ワイヤレス通信レンジ内の別のコンピュータ制御装置とワイヤレスに通信するよう構成され、かつ、近接検出に基づいてワイヤレス通信レンジ内の別のコンピュータ制御装置と機密保護ワイヤレス通信チャンネルを自動的に確立するよう構成されたコンピュータ制御装置において、該コンピュータ制御装置は、
該コンピュータ制御装置に近接しかつワイヤレス通信レンジ内にある共有エンゲージメントゾーンを検出するよう構成された近接検出モジュールであって、別のコンピュータ制御装置から発生された１又は複数の近接信号を検出して、該別のコンピュータ制御装置が共有エンゲージメントゾーン内にあるかどうかを識別するよう構成された近接検出モジュールと、
別のコンピュータ制御装置が共有エンゲージメントゾーン内にあり、かつ、１又は複数の近接信号の検出後にユーザからの単一の入力を受け取った場合、該別のコンピュータ制御装置とワイヤレス通信チャンネルを自動的に初期化し確立するよう構成された通信モジュールと
を備え、
コンピュータ制御装置は、確立されたワイヤレス通信チャンネルを用いて、共有エンゲージメントゾーンの範囲外に存在する別のコンピュータ制御装置と通信するよう構成されている
ことを特徴とするコンピュータ制御装置。
【請求項２２】
請求項２１記載のコンピュータ制御装置において、
該コンピュータ制御装置はさらに、別のコンピュータ制御装置上の１又は複数のボタンに対応する１又は複数のボタンを備え、
通信モジュールは、近接検出モジュールが、別のコンピュータ制御装置が共有エンゲージメントゾーン内にあることを検出し、かつ、コンピュータ制御装置上の１又は複数のボタンが活性化され、別のコンピュータ制御装置上の１又は複数のボタンが活性化されている場合に、ワイヤレス通信チャンネルを自動的に初期化しかつ確立するよう構成されている
ことを特徴とするコンピュータ制御装置。
【請求項２３】
請求項２２記載のコンピュータ制御装置において、近接検出モジュールは、１又は複数の近接信号を発生するよう構成された信号発生要素を備えていることを特徴とするコンピュータ制御装置。
【請求項２４】
請求項２３記載のコンピュータ制御装置において、信号発生要素は、ショートレンジの赤外線信号又は無線信号の近接信号を発生するよう構成されていることを特徴とするコンピュータ制御装置。
【請求項２５】
請求項２３記載のコンピュータ制御装置において、信号発生要素は、別のコンピュータ制御装置の信号スイッチを開閉させる磁界を発生する磁気要素を備えていることを特徴とするコンピュータ制御装置。
【請求項２６】
請求項２１記載のコンピュータ制御装置において、近接検出モジュールは、別のコンピュータ制御装置から発生された磁界を検出するよう構成された検出要素を備えていることを特徴とするコンピュータ制御装置。
【請求項２７】
請求項２６記載のコンピュータ制御装置において、検出要素は、別のコンピュータ制御装置から発生された磁界と相互作用して出力電圧に変化が生じるよう構成された電気回路を備えていることを特徴とするコンピュータ制御装置。
【請求項２８】
請求項２６記載のコンピュータ制御装置において、検出要素は、別のコンピュータ制御装置から発生された磁界と相互作用して開閉される信号スイッチを備えていることを特徴とするコンピュータ制御装置。
【請求項２９】
請求項２１記載のコンピュータ制御装置において、該装置はさらに、知覚可能なアラートを発生することにより、ワイヤレス通信チャンネルが確立されたことを示すアラートモジュールを備えることを特徴とするコンピュータ制御装置。
【請求項３０】
ワイヤレス通信レンジ内のオーディオ出力機器とワイヤレス通信するよう構成されたメディア配信機器において、人間の関与を最小限にしてメディア配信機器とオーディオ出力機器との間にワイヤレス通信チャンネルを効率的に確立するためのコンピュータ化された方法であって、
オーディオ出力機器がメディア配信機器の共有エンゲージメントゾーン内に存在することを示す１又は複数の信号を検出するステップと、
ユーザの追加の相互作用を自動的に催促するステップと、
自動的な催促に応じたユーザの単一の相互作用を示す指示であって、ユーザ入力の特別のセキュリティコードを含んでいない指示を受け取るステップと、
同期情報をオーディオ出力機器に送信するステップと、
メディア配信機器及びオーディオ出力機器が、共有エンゲージメントゾーンよりも広いワイヤレス通信レンジを有する機密保護ワイヤレス通信チャンネルを確立することを可能にするための同期応答を、オーディオ出力機器から受信するステップと、
確立されたワイヤレス通信チャンネルを介して、共有エンゲージメントゾーンの範囲外かつワイヤレス通信レンジの範囲内に存在するオーディオ出力機器と通信するステップと
からなることを特徴とするコンピュータ化された方法。
【請求項３１】
請求項３０記載の方法において、指示を受け取るステップは、オーディオ出力機器が共有エンゲージゾーン内に存在しているときにメディア配信機器及びオーディオ出力機器のボタンが活性化されたことを識別するステップを含んでいることを特徴とする方法。
【請求項３２】
請求項３０記載の方法において、ユーザの単一の相互作用を示す指示は、メディア配信機器とオーディオ出力機器との間の同期を継続するためのユーザの要求を確認するものであることを特徴とする方法。
【請求項３３】
請求項３０記載の方法において、オーディオ出力機器が共有エンゲージゾーン内に存在することを示す１又は複数の信号を検出するステップは、メディア配信機器から受信した１又は複数の近接信号に応答して信号スイッチを開閉するステップを含んでいることを特徴とする方法。
【請求項３４】
請求項３２記載の方法において、１又は複数の近接信号は、ショートレンジの赤外線信号又は無線信号で通信されることを特徴とする方法。
【請求項３５】
請求項３２記載の方法において、
１又は複数の近接信号は、磁界強度を含み、
信号スイッチが、磁界によって生じた力に応じて開閉される
ことを特徴とする方法。
【請求項３６】
請求項３０記載の方法において、１又は複数の近接信号は、ショートレンジの赤外線信号又は無線信号で通信されることを特徴とする方法。
【請求項３７】
請求項３０記載の方法において、ユーザの単一の相互作用は、メディア配信機器とユーザの物理的相互作用を含んでいることを特徴とする方法。
【請求項３８】
請求項３７記載の方法において、ユーザの物理的相互作用は、ユーザによるメディア配信機器上のボタンの物理的押し下げを含んでいることを特徴とする方法。
【請求項３９】
ワイヤレス通信レンジ内のオーディオ出力機器とワイヤレス通信するよう構成されたメディア配信機器において、人間の関与を最小限にしてオーディオ出力機器とメディア配信機器との間にワイヤレス通信チャンネルを効率的に確立するためのコンピュータ化された方法であって、
メディア配信機器がオーディオ出力機器の共有エンゲージメントゾーン内に存在することを示す１又は複数の信号を検出し、かつ、ユーザが同期プロセスを継続するための要求を、ユーザによる特別のセキュリティコードの入力無しに満足したことを検出する検出ステップと、
メディア配信機器に同期情報を送信するステップと、
オーディオ出力機器及びメディア配信機器が、共有エンゲージゾーンよりも広いワイヤレス通信レンジを有する機密保護ワイヤレス通信チャンネルを確立することを可能にするための同期応答を、メディア配信機器から受信するステップと、
確立されたワイヤレス通信チャンネルを介して、共有エンゲージメントゾーンの範囲外かつワイヤレス通信レンジの範囲内に存在するメディア配信機器と通信するステップと
からなることを特徴とするコンピュータ化された方法。
【請求項４０】
請求項３９記載の方法において、該方法はさらに、メディア配信機器が共有エンゲージゾーン内に存在しているときに、オーディオ出力機器及びメディア配信機器のボタンが活性化されたことを識別するステップを含んでいることを特徴とする方法。
【請求項４１】
請求項３９記載の方法において、検出ステップにおいて、メディア配信機器がオーディオ出力機器の共有エンゲージメントゾーン内に存在することを示す１又は複数の信号の検出は、オーディオ出力機器から受信した１又は複数の近接信号に応答して信号スイッチを開閉するステップを含んでいることを特徴とする方法。
【請求項４２】
請求項４１記載の方法において、１又は複数の近接信号は、ショートレンジの赤外線信号又は無線信号で通信されることを特徴とする方法。
【請求項４３】
請求項４１記載の方法において、
１又は複数の近接信号は、磁界強度を含み、
信号スイッチが、磁界によって生じた力に応じて開閉される
ことを特徴とする方法。
【請求項４４】
請求項３９記載の方法において、検出ステップにおいて、ユーザが同期プロセスを継続するための要求を、ユーザによる特別のセキュリティコードの入力無しに満足したことの検出は、オーディオ出力機器とユーザの物理的相互作用を識別するステップを含んでいることを特徴とする方法。
【請求項４５】
請求項４４記載の方法において、ユーザの物理的相互作用は、ユーザによるオーディオ出力機器上のボタンの物理的押し下げを含んでいることを特徴とする方法。